(57)【特許請求の範囲】
【請求項１】
金属板や合成樹脂で構成し、平坦面に形成された接着辺と、該接着辺の裏面側にカーテンを脱着自在に取付けることが可能なカーテン取付部と、該カーテン取付部の前記接着辺と対面する面に取付けられ、かつ、前記接着辺に形成された開口部に対して面一状態で臨むマグネットとより構成したカーテンレールであって、
前記カーテンレールの前記接着辺に接着剤を塗布した状態で、冷凍庫・冷蔵庫および冷凍・冷蔵食品棚の磁性体で構成されている固定板に、前記接着辺を接着剤で貼り付け、かつ、この状態において前記マグネットが前記固定板に磁力によって前記カーテンレールを仮固定状態とすることで、前記接着辺の接着剤が密着状態で固化されて確実に固定されることを特徴とする業務用冷凍・冷蔵庫および冷凍・冷蔵食品棚用カーテンレールの取付構造。
【請求項２】
前記カーテン取付部は、下方より折り曲げられ前記接着辺との間に隙間を介して形成された係合辺であって、該係合辺にカーテンと一体となったカーテン取付部材を引っ掛けて取付けるようにしたことを特徴とする請求項１記載の業務用冷凍・冷蔵庫および冷凍・冷蔵食品棚用カーテンレールの取付構造。
【請求項３】
前記カーテン取付部は、長手方向に沿って外側に向かって円弧状の突出部に形成されたＴ字状の開口であって、該Ｔ字状の開口にカーテンと一体となった取付部材のＴ字状部を挿入して取付けるようにしたことを特徴とする請求項１記載の業務用冷凍・冷蔵庫および冷凍・冷蔵食品棚用カーテンレールの取付構造。
【請求項４】
前記カーテン取付部の前記接着辺と対面する上下辺にマグネットを取付けると共に該上下に取付けられたマグネットと対向する前記接着辺に開口部を形成し、前記マグネットが開口部に対して面一状態で臨むようにしたことを特徴とする請求項１記載の業務用冷凍・冷蔵庫および冷凍・冷蔵食品棚用カーテンレールの取付構造。
【発明の詳細な説明】
【技術分野】
【０００１】
本発明は、業務用冷凍・冷蔵庫、例えば、スーパー等の食品売場で提供される冷凍食品や冷蔵食品の品出しや収納を行う冷凍・冷蔵作業室内に設置され、あるいは、食品売場における冷凍食品や冷蔵食品を陳列する食品棚を兼ねる業務用冷凍・冷蔵庫であって、該業務用冷凍・冷蔵庫の扉開閉による冷気を逃がさないためのカーテンや、夜間における食品棚の冷気を逃がさないためのカーテンを取付けるための業務用冷凍・冷蔵庫および冷凍・冷蔵食品棚用カーテンレールの取付構造に関する。
【背景技術】
【０００２】
従来における家庭用冷蔵庫の扉内側にカーテンを取付ける構造としては、カーテンレールを接着剤によって扉内側の庫内に取付けるもの（特開２００５−６９５２３号公報）、カーテンレールに取付けられたマグネットと扉内側の庫内に取付けられたマグネットどうしの磁力によって取付けるもの（特開２００２−２５７４６２号公報）があった。
【先行技術文献】
【特許文献】
【０００３】
【特許文献１】特開２００５−６９５２３号公報
【特許文献２】特開２００２−２５７４６２号公報
【発明の概要】
【発明が解決しようとする課題】
【０００４】
ところで、前記した特許文献１、２における接着剤やマグネットによってカーテンレールを取付ける対象となる冷蔵庫は家庭用冷蔵庫であるので、開口部が業務用冷凍・冷蔵庫と比較して小さいので使用するカーテンは、透明あるいは半透明の比較的厚みの薄い軽量な樹脂フィルムを利用したものとなっている。従って、軽量のカーテンを冷蔵庫の開口部に接着剤やマグネットによって取付けてもカーテンレールが妄りに開口部の貼着部分から外れることはない。
【０００５】
しかし、業務用の冷凍・冷蔵庫は家庭用の冷蔵庫と比較して、庫内に人が出入りして収納されている食品を店内の食品収納部に運び出したり、運搬業者から送られてくる食品を収納したりするために扉となる開口部が大きいため、業務用の冷凍・冷蔵庫の扉に用いる冷気を逃がさないためのカーテンは、家庭用冷蔵庫に用いる程度のカーテンと比較して厚みが厚く重量が大であると共に大きさも大きく、従って、カーテンレールを接着剤で固定する場合には接着剤が固化するまで冷凍・冷蔵庫内で人手でレールを押さえ続ける必要がある等のカーテン設置作業性が悪く、また、マグネットだけで固定した場合には、人の出入り時に人がカーテンを庫内の壁面に対するマグネットの磁力方向と逆らう方向に押したり引いたりすることで、カーテンが落下するといった問題が発生した。
【０００６】
そこで、接着剤やマグネットを使用することなく冷凍・冷蔵室の壁面にネジ止めすることも考えられるが、冷凍・冷蔵室の壁面はステンレス等の金属板で覆われているために、スーパー等の店舗の店員等の素人がカーテン設置作業を行おうとしてもネジ止めが難しく結局は専門業者に依頼しなければならないといった問題があった。
【０００７】
また、冷凍あるいは冷蔵食品を収納する食品棚に収納さている食品は、閉店後の夜間においても冷凍・冷蔵し続けることが必要となるが、このような場合にも食品棚の壁面がステンレス等の金属板で覆われている場合は前記したと同様な問題が発生した。
【０００８】
本発明は前記した問題点を解決せんとするもので、その目的とするところは、カーテンを脱着自在に取付けるカーテンレールにマグネットを冷凍・冷蔵庫あるいは食品棚の壁面である磁性体の固定板に対して吸着可能に露出した状態で取付け、カーテンレールの接着辺に接着剤を塗布し、前記マグネットの磁力で固定体に仮固定されることで、素人でもカーテンレールを固定板の所定位置にズレることなく簡単に固定することができる業務用冷凍・冷蔵庫および冷凍・冷蔵食品棚用カーテンレールの取付構造を提供せんとするにある。
【課題を解決するための手段】
【０００９】
本発明の業務用冷凍・冷蔵庫および冷凍・冷蔵食品棚用カーテンレールの取付構造は、前記した目的を達成せんとするもので、請求項１の手段は、金属板や合成樹脂で構成し、平坦面に形成された接着辺と、該接着辺の裏面側にカーテンを脱着自在に取付けることが可能なカーテン取付部と、該カーテン取付部の前記接着辺と対面する面に取付けられ、かつ、前記接着辺に形成された開口部に対して面一状態で臨むマグネットとより構成したカーテンレールであって、前記カーテンレールの前記接着辺に接着剤を塗布した状態で、冷凍庫・冷蔵庫および冷凍・冷蔵食品棚の磁性体で構成されている固定板に、前記接着辺を接着剤で貼り付け、かつ、この状態において前記マグネットが前記固定板に磁力によって前記カーテンレールを仮固定状態とすることで、前記接着辺の接着剤が密着状態で固化されて確実に固定されることを特徴とする。
【００１０】
請求項２の手段は、前記した請求項１において、前記カーテン取付部は、下方より折り曲げられ前記接着辺との間に隙間を介して形成された係合辺であって、該係合辺にカーテンと一体となったカーテン取付部材を引っ掛けて取付けるようにしたことを特徴とする。
【００１１】
請求項３の手段は、前記した請求項１において、前記カーテン取付部は、長手方向に沿って外側に突出した突出部に形成されたＴ字状の開口であって、該Ｔ字状の開口にカーテンと一体となった取付部材のＴ字状部を挿入して取付けるようにしたことを特徴とする。
【００１２】
請求項４の手段は、前記した請求項１において、前記カーテン取付部の前記接着辺と対面する上下辺にマグネットを取付けると共に該上下に取付けられたマグネットと対向する前記接着辺に開口部を形成し、前記マグネットが開口部に対して面一状態で臨むようにしたことを特徴とする。
【発明の効果】
【００１３】
本発明は前記したように、カーテンレールに平坦面の接着辺を形成すると共に該接着辺の裏面側にカーテンを脱着自在に取付けることが可能なカーテン取付部を形成し、該カーテン取付部の前記接着辺と対面する面に取付けられ、かつ、前記接着辺に形成された開口部に対して面一状態で臨むマグネットとより構成し、前記接着辺に接着剤をマグネットの表面を含めて全体に塗布した状態で、冷凍庫・冷蔵庫および冷凍・冷蔵食品棚の磁性体で構成されている固定板に、前記接着辺を貼り付け、かつ、この状態において前記マグネットが固定板に磁力によって仮固定状態となっているので、カーテンレールを冷凍・冷蔵庫および冷凍・冷蔵食品棚の壁面に対して強固に固定でき、従って、冷凍・冷蔵庫の場合における人の出入り時にカーテンが押されてもガイドレールが外れることがなく、また、冷凍・冷蔵食品棚に対して夜間時にはカーテンを外し、営業開始時にはカーテンを取付けるといったことを頻繁に行ってもカーテンレールが外れることがないものである。
【００１４】
また、カーテン取付部に、下方より折り曲げられ前記接着辺との間に隙間を介して下方先端部を形成し、該下方先端部にカーテンと一体となったカーテン取付部材を引っ掛けて取付けるようにした構成や、または、カーテン取付部が、長手方向の中心部で外側に向かって円弧状の突出部がＴ字状の開口部を形成し、かつ、該Ｔ字状の開口部にカーテンと一体となった取付部材のＴ字状部を挿入して取付けるような構成にしたので、冷凍・冷蔵食品棚に取付けられているカーテンレールに対してカーテンの取付けと取外しが簡単に行え、従って、営業時と夜間時における作業が簡単に行える。
【００１５】
さらに、カーテン取付部の接着辺と対面する上下辺にマグネットを取付けると共に該上下に取付けられたマグネットと対向する前記接着辺に開口部を形成し、マグネットが開口部に対して面一状態で臨むようにしたので、カーテンレールの接着辺が上下方向に対して均一にマグネットの磁力で吸着され、従って、ガイドレールは均一に確実に固定板に対して仮固定され、接着辺と固定板との接着を確実に行うことができる等の効果を有するものである。
【図面の簡単な説明】
【００１６】
【図１】本発明に係る業務用冷凍・冷蔵庫および食品棚用カーテンレールの取付構造の第１の実施例を示す分解斜視図である。
【図２】カーテンレールを固定板に固定しカーテンレールのカーテン取付部にカーテンを取付けた状態の正面図である。
【図３】カーテンレールにカーテンを取付ける状態の断面図である。
【図４】カーテンレールのカーテン取付部の上下にマグネットを取付けた状態の分解斜視図である。
【図５】カーテンレールに対するカーテンの取付構造が異なる他の実施例を示す分解斜視図である。
【図６】カーテンレールにカーテンを取付ける状態の断面図である。
【発明を実施するための形態】
【００１７】
以下、本発明の業務用冷凍・冷蔵庫および冷凍・冷蔵食品棚用カーテンレールの取付構造を図面と共に説明する。
Ａはスーパー等の食品売場に冷凍食品や冷蔵食品の品出しや収納を行う作業室内に設置された冷凍・冷蔵室の内壁面に形成されたステンレス等の磁性体の固定板である。
【００１８】
次に、第１の実施例のカーテンレールの構造を図１〜図４と共に説明する。
１はステンレス等の錆が生じ難い金属や合成樹脂で構成されたカーテンレールにして、前記固定板Ａと面一状態になるように形成され、かつ、後述するマグネット１２の一面が面一状態で臨む開口１１ａが形成された接着辺１１と、該接着辺１１の上方および下方から前記接着辺１１の背面側に隙間を介して折り返され、該折り返された係合辺がカーテン取付部１３となっている。
【００１９】
前記上方から折り返された辺はキャップマグネット１２（ヨークで外周を覆い吸着力を強くしたマグネット、以下、単にマグネットという）を接着剤で固定するマグネット固定辺１４となっている。そして、前記マグネット固定辺１４は固定されるマグネット１２の磁力面側が前記開口部１１ａに対して面一状態を維持するようなバネ性を有する構造となっているのが望ましい。
【００２０】
２は透明あるいは半透明な比較的厚みの厚い材質の樹脂膜で構成されたカーテンにして、該カーテン２の１つの辺には金属板等の強度の高い材料で形成されたＵ字状の取付部材２１が接着剤等によって固定されている。
【００２１】
次に、カーテンレール１を冷凍・冷蔵室の固定板Ａに取付けする方法について説明する。
先ず、カーテンレール１の接着辺１１の全面（マグネット１２の部分も含めて  ）に接着剤を塗布した状態で、冷凍・冷蔵室の固定板Ａに前記接着辺１１を貼り付ける。この状態においてカーテンレール１はマグネット１２の吸着力で固定板Ａに吸着され仮固定の密着状態となるので、接着剤が確実に乾燥固化するまでカーテンレール１が移動することなく所定の位置で固着されることとなる。
【００２２】
また、冷凍食品や冷蔵食品を陳列する食品棚を閉店後に覆うカーテンの場合も前記した冷凍・冷蔵室の場合と同様に、食品棚の上方の前面あるいは背面に存在するステンレス等の磁性体で形成されている固定板にカーテンレール１をマグネット１２で仮固定した状態で接着剤を乾燥固化させることで、カーテンレール１は確実に接着固定される。
【００２３】
そして、固定板Ａに取付けられているカーテンレール１のカーテン取付部１３に対してカーテン２に取付けられているカーテン取付部材２１を図３に示すようにカーテン取付部１３の上方よりカーテン取付部材を引っ掛けることで、冷凍・冷蔵室の出入口を塞ぎ、また、冷凍・冷蔵食品を陳列する食品棚の開口部を覆うことで冷気の放出を防止できる。
【００２４】
なお、前記マグネット１２はカーテンレール１のマグネット固定辺１４に対してカーテンレール１の長さに応じて複数個を取付けることで、カーテンレール１は固定板Ａに対して強力に吸着される。また、マグネット１２は実施例においては、マグネット固定辺１４にのみマグネット１２を取付けたものを示したが、カーテン取付部１３側にも取付けることで接着辺１１を、より確実にマグネット１２によって仮固定状態とすることができる。
【００２５】
なお、カーテン取付部１３にもマグネット１２を取付けた場合には、カーテン取付部材２１のカーテン取付部１３への取付け時にマグネット１２が邪魔になるので、そのような場合にはカーテン取付部材２１にマグネット１２を避けるための切欠部２１ａを設けることで解消することができる（図４参照）。
【００２６】
次に、第２の実施例のカーテンレールの構造を図５、図６と共に説明する。
３はステンレス等の錆が生じ難い金属や合成樹脂で構成されたカーテンレールにして、側面形において平坦面に形成された接着辺３１と、該接着辺３１の両端から折り返されて形成された端部３２からなだらかなカーブを介して形成された略Ｖ字状に形成された頂部３３とから形成されている。また、前記頂部３３から端部３２に渡ってＴ字状の開口であるカーテン取付部３４が形成されている。
【００２７】
このように形成したカーテンレール３の端部３２の内面側にはマグネット３５が接着剤で固定され、該マグネット３５の磁力面側は接着辺３１に形成された開口部３１ａに面一状態で臨んでいる。
【００２８】
４は透明あるいは半透明な比較的厚みの厚い材質の樹脂膜で構成されたカーテンにして、該カーテン２の１つの辺には金属板等の強度の高い材料で形成されたＴ字状部４１ａを有する取付部材４１が固定されている。
【００２９】
次に、カーテンレール３を冷凍・冷蔵室の固定板Ａに取付ける方法について説明する。
先ず、カーテンレール３の接着辺３１の全面（マグネット３５の部分も含めて  ）に接着剤を塗布した状態で、冷凍・冷蔵室の固定板Ａに前記接着辺３１を貼り付ける。この状態においてカーテンレール３はマグネット３５の吸着力で固定板Ａに吸着され仮固定の密着状態となるので、接着剤が確実に乾燥固化するまでカーテンレール３が移動することなく所定の位置で固着されることとなる。
【００３０】
また、冷凍食品や冷蔵食品を陳列する食品棚を閉店後に覆うカーテンの場合も前記した冷凍・冷蔵室の場合と同様に、食品棚の上方の前面あるいは背面に存在するステンレス等の磁性体で形成されている固定板Ａにカーテンレール３をマグネット３５で仮固定した状態で接着剤を乾燥固化させることで、カーテンレール４は確実に接着固定される。
【００３１】
そして、固定板Ａに取付けられているカーテンレール３のカーテン取付部３４に対してカーテン４に取付けられているカーテン取付部材４１ａを図６に示すようにカーテン取付部３４の上方よりカーテン取付部材４１ａを引っ掛けることで、冷凍・冷蔵室の出入口を塞ぎ、また、冷凍・冷蔵食品を陳列する食品棚の開口部を覆うことで冷気の放出を防止できる。
【００３２】
なお、図面にあっては、上下の端部３２にマグネット３５を固定したものを示したが、マグネット３５は上下の何れかの端部３２に取付けたものであってもよい。
【００３３】
カーテンレールとしては前記した第１、２の実施例に限定されるものではなく、一般家庭等で使用されている通常のカーテンレール（棒状、下方に開口がありカーテンに取付けられている部材がスライドするもの等）の構造のものであってもよい。
【符号の説明】
【００３４】
Ａ                固定板
１，３            カーテンレール
１１，３１        接着辺
１１ａ，３１ａ    開口部
１２，３５        マグネット
１３，３４        カーテン取付部
２，４            カーテン
２１，４１        カーテン取付部材
【図１】
0005541584.tif 000002
【図２】
0005541584.tif 000003
【図３】
0005541584.tif 000004
【図４】
0005541584.tif 000005
【図５】
0005541584.tif 000006
【図６】
0005541584.tif 000007